(57)【要約】【課題】ユーザにとって使い勝手のよい加熱調理器を提供すること。【解決手段】本発明の加熱調理器（１）は、加熱調理を実行する際に使用する設定情報を変更するための設定変更情報を含む情報コードを読み取る読取り装置（１６）と、設定情報を、読取り装置（１６）によって読み取られた情報コードに含まれる設定変更情報に基づいて変更する設定情報変更部（２７）とを備えている。【選択図】図１０
2020204465.tif 000002
【特許請求の範囲】
【請求項１】
加熱庫と、
情報コードを読み取る読取り装置と
を備えた加熱調理器であって、
前記情報コードには、前記加熱調理器本体において加熱調理を実行する際に使用する設定を示す設定情報を変更するための設定変更情報が含まれており、
前記読取り装置によって読み取られた前記情報コードに含まれる前記設定変更情報に基づいて前記設定情報を変更する設定情報変更部を有することを特徴とする加熱調理器。
【請求項２】
前記読取り装置は、前記設定変更情報を含む情報コード以外に、食品に付与された情報コードを読み取り、
前記読取り装置によって読み取られた前記食品に付与された情報コードに含まれる加熱情報に基づいて前記食品を加熱することを特徴とする請求項１に記載の加熱調理器。
【請求項３】
前記設定変更情報は、加熱調理を実行する際の手動加熱の高周波出力値の設定を示す設定情報を変更する情報であることを特徴とする請求項１または２に記載の加熱調理器。
【請求項４】
前記設定変更情報は、前記加熱庫内の庫内灯の設定を示す設定情報を変更する情報であることを特徴とする請求項１または２に記載の加熱調理器。
【請求項５】
前記設定変更情報は、加熱調理を実行する際の報知音の音量設定を示す設定情報を変更する情報であることを特徴とする請求項１または２に記載の加熱調理器。
【請求項６】
前記設定変更情報は、加熱調理を実行する際のロックレベルの設定を示す設定情報を変更する情報であることを特徴とする請求項１または２に記載の加熱調理器。
【発明の詳細な説明】
【技術分野】
【０００１】
本発明は、加熱庫内部に配置された食品を加熱する加熱調理器に関する。
【背景技術】
【０００２】
従来、例えばコンビニエンスストアでは、販売した弁当等の食品を電子レンジ等の加熱調理器にて加熱し、客に手渡すサービスが行われている。
【０００３】
食品を加熱する場合の好適な加熱温度や加熱時間は、食品の種類によって異なる。そこで、特許文献１および２に示す加熱調理器では、食品の容器に記された、食品の種類を示すバーコードを読取り装置にて読み取り、食品の種類に応じた加熱情報（加熱温度や加熱時間）に従って食品を加熱するようにしている。
【０００４】
具体的には、特許文献１に記載の構成では、電子レンジにバーコードスキャナが接続され、ユーザがバーコードスキャナを手動操作して食品の容器に記されたバーコードを読み取るようになっている。
【０００５】
また、特許文献２に記載の構成では、加熱調理器の前面の一方の側部に設けられた第１のバーコード読取り装置に、食品の容器に記されたバーコードをかざしてバーコードを読み取るようになっている。あるいは加熱調理器の加熱庫内部に、容器に収容された食品を配置し、加熱庫の天壁に設けられた第２のバーコード読取り装置にて食品の容器に記されたバーコードを読み取るようになっている。
【先行技術文献】
【特許文献】
【０００６】
【特許文献１】特開２００６−６４３６２号公報
【特許文献２】実用新案登録第３０７６６４９号公報
【発明の概要】
【発明が解決しようとする課題】
【０００７】
しかしながら、上述のような従来技術では、加熱対象となる食品から読み取ったバーコードに含まれる食品毎に設定されたデフォルトの加熱情報（ワット数や加熱時間を示す情報）に基づいて加熱調理するため、一度設定された加熱時間やワット数等を後から変更することができない。このため、食品をユーザの好みの温度で加熱することができず、ユーザにとって使い勝手が悪いという問題点を有している。
【０００８】
したがって、本発明の一態様は、ユーザにとって使い勝手のよい加熱調理器の提供を目的とする。
【課題を解決するための手段】
【０００９】
上記の課題を解決するために、本発明の一態様に係る加熱調理器は、加熱庫と、情報コードを読み取る読取り装置とを備えた加熱調理器であって、前記情報コードには、前記加熱調理器本体において加熱調理を実行する際に使用する設定を示す設定情報を変更するための設定変更情報が含まれており、前記読取り装置によって読み取られた前記情報コードに含まれる前記設定変更情報に基づいて前記設定情報を変更する設定情報変更部を有することを特徴としている。
【発明の効果】
【００１０】
本発明の一態様によれば、ユーザにとって使い勝手のよい加熱調理器を提供できる。
【図面の簡単な説明】
【００１１】
【図１】本発明の実施形態の加熱調理器の前扉を閉じた状態を正面の斜め上方から見た場合の斜視図である。
【図２】図１に示した加熱調理器の前扉を開放した状態の正面図である。
【図３】図１に示した加熱調理器の前扉を開放した状態を右斜め下方から見た場合の斜視図である。
【図４】図１に示した加熱調理器が備える読取り装置の設置状態を示すコントロールフレームの縦断面図である。
【図５】図４に示した読取り装置の読取り領域を示す説明図である。
【図６】図６の（ａ）は、図４に示した読取り装置が読み取る二次元コードからなる情報コードの例を示す説明図、図６の（ｂ）は、図４に示した読取り装置が読み取る一次元バーコードからなる情報コードの例を示す説明図である。
【図７】図７の（ａ）は、図４に示した読取り装置による情報コードの読み取りのための操作パネルでの案内表示例を示す説明図、図７の（ｂ）は、図４に示した読取り装置による情報コードの読み取りのための操作パネルでの他の案内表示例を示す説明図である。
【図８】図１に示した加熱調理器が備える制御装置の構成を示すブロック図である。
【図９】本発明の他の実施形態の加熱調理器の前扉を開放した状態を右斜め下方から見た場合の斜視図である。
【図１０】本発明のさらに他の実施形態の加熱調理器が備える制御装置の構成を示すブロック図である。
【発明を実施するための形態】
【００１２】
〔実施形態１〕
以下、本発明の一実施形態について、詳細に説明する。図１は、本実施形態の加熱調理器１の前扉１２を閉じた状態を正面の斜め上方から見た場合の斜視図である。図２は、図１に示した加熱調理器１の前扉１２を開放した状態を正面の斜め下方から見た場合の斜視図である。図３は、図１に示した加熱調理器１の前扉１２を開放した状態を右斜め下方から見た場合の斜視図である。
【００１３】
（加熱調理器１の概要）
図１から図３に示すように、加熱調理器は、例えば電子レンジであり、前面の上部に操作パネル（受付部）１１を有し、操作パネル１１の下に前扉１２を有している。前扉１２は、前扉１２の奥に設けられている加熱庫１３を開閉する扉であり、閉状態にて加熱庫１３の前面開口部１３ｂを覆う。前扉１２は、本実施形態において、向って左側の端部を中心として回転する横開き形式であり、右端付近に取手１４を有している。
【００１４】
操作パネル１１は、コントロールフレーム（基板収容部）１５の前面に設けられており、加熱調理器１の前後方向において、操作パネル１１の前面位置は前扉１２の前面位置とほぼ一致している。
【００１５】
コントロールフレーム１５の内部には、操作パネル１１の表示部の制御や、入力キー等に対するユーザ操作の受け付け等を行う制御基板（図示せず）が設けられている。
【００１６】
（読取り装置１６）
図４は、読取り装置１６の設置状態を示すコントロールフレーム１５の縦断面図である。図５は、読取り装置１６の読取り領域１９を示す説明図である。
【００１７】
図４に示すように、コントロールフレーム１５は、加熱調理器１の前方へ突出状に設けられている。読取り装置１６は、読取り装置基板（回路基板）１７の下面に取り付けられ、コントロールフレーム１５の内部の下部に設けられている。読取り装置基板１７は、読取り装置１６の駆動回路を備えている。すなわち、読取り装置１６は、加熱庫１３の外部、かつ加熱庫１３の前面開口部１３ｂの上方位置（天壁１３ａ側の位置）を設置位置とし、設置位置よりも下方に読取り領域１９を有するように設けられている。
【００１８】
読取り装置１６は、例えばバーコードリーダであり、加熱調理器１にて加熱する食品あるいは食品の容器に付与された情報コード（例えばバーコード）を読み取るようになっている。
【００１９】
読取り装置１６は、図５に示すように、読取り装置１６の下方領域を読取り領域１９としており、コントロールフレーム１５は、読取り装置１６と対向する下壁部の部分に、透明の読取り窓１８を有している。
【００２０】
読取り装置１６の読取り領域１９は、ユーザが目視にて読取り領域１９を理解できるように、例えば赤色の光にて示すようになっている。この赤色の光は、読取り領域照明部２１（図８参照）が照射する。読取り領域照明部２１としては、例えば赤色ＬＥＤが用いられる。なお、読取り領域１９を示す光は赤色に限定されず、ユーザが目視可能な他の光、例えばレーザ等であってもよい。また、赤色ＬＥＤの個数は１個でもよいし、複数個であってもよい。
【００２１】
また、読取り装置１６は、図２および図３に示すように、加熱庫１３の前面開口部１３ｂの幅方向（左右方向）の中央部に設けられている。
【００２２】
（情報コード）
図６の（ａ）は、二次元コード（ＱＲコード（登録商標））からなる情報コードの例を示す説明図、図６の（ｂ）は、一次元バーコードからなる情報コードの例を示す説明図である。図７の（ａ）は、読取り装置１６による情報コードの読み取りのための操作パネル１１での案内表示例を示す説明図、図７の（ｂ）は、読取り装置１６による情報コードの読み取りのための操作パネル１１での他の案内表示例を示す説明図である。
【００２３】
情報コードは、食品の種類を示す情報であり、食品あるいは食品の容器に、例えば印刷あるいはシールによって付与されている。情報コードは、食品の種類、例えば食品が弁当であること（あるいはさらには弁当の種類）や、おにぎりであること（あるいはさらにはおにぎりの種類）を示す情報である。
【００２４】
情報コードは、例えば図６の（ａ）に示すように、二次元コードであってもよいし、図６の（ｂ）に示すように、一次元バーコードであってもよい。なお、情報コードは、食品の種類を示すことができるものであればよく、特にバーコード等に限定されない。
【００２５】
操作パネル１１には、読取り装置１６による情報コードの円滑な読み取りのために、ユーザに対する案内表示２０が行われている。例えば図７の（ａ）の例では、「ドアを開けて赤色の光に情報コードをかざしてください」という案内表示２０が行われている。また、図７の（ｂ）の例では、「ドアを開けて情報コードに赤色の光を当ててください」という案内表示２０が行われている。なお、これら案内表示２０は、一例であり、特にこれらに限定されない。
【００２６】
なお、案内表示２０を行う位置は、図７の（ａ）（ｂ）に示すように、操作パネル１１のほぼ中央の位置に限定されず、操作パネル１１上であればどの位置でもよく、また、読取り装置１６による情報コードの読取り操作をユーザに対して案内できる位置であれば操作パネル１１以外の位置（加熱調理器１の正面）であってもよい。ユーザにとって使い勝手が向上する好ましい位置は、加熱調理器１を操作するうえで必ず目につく操作パネル１１上の位置である。さらに、読取り窓１８の近傍（上方）であれば、より好ましい。
【００２７】
（案内表示）
案内表示２０は、ユーザに操作の仕方を案内する内容を操作パネル１１に印刷することで実現している。例えば、案内表示２０を印刷したシールを、操作パネル１１に貼り付ける。しかしながら、案内表示２０の実現方法としては、操作パネル１１への印刷に限定されるものではなく、操作パネル１１に液晶パネルを設けて、当該液晶パネルに案内表示２０を行うようにしてもよい。この場合、前扉１２の開閉に連動して、液晶パネルのバックライトの点灯制御を行うようにする。例えば前扉開閉検知部２５（図８）によって前扉１２の開放が検知されると、当該前扉１２を開ける動作に連動して、案内表示２０が表示された液晶パネルのバックライトを点灯させる。これにより、ユーザに対して案内表示２０を視認しやすくさせることができる。あるいは、案内表示２０を行うと共に、当該案内表示２０の内容を音声にて通知するようにしてもよい。この場合、案内表示２０に表示されている文字が見難いユーザであっても、音声で確認できるので、操作を円滑に行うことが可能となる。
【００２８】
（操作パネル）
操作パネル１１には、上記案内表示２０の他に、各種操作ボタンが搭載されている。本実施形態の操作パネル１１には、図７の（ａ）（ｂ）に示すように、操作ボタンの一つとして、加熱変更ボタン１１ａが搭載されている。この加熱変更ボタン１１ａは、デフォルトの加熱温度に対して、「ぬるめ」か「あつめ」の加熱温度に変更するためのボタンである。例えば、食品Ａの設定された加熱温度（デフォルトの加熱温度）よりも「ぬるめ」に加熱したい場合には、加熱変更ボタン１１ａの「ぬるめ」を押下する。「あつめ」に加熱した場合には、加熱変更ボタン１１ａの「あつめ」を押下する。すなわち、操作パネル１１は、ユーザによって指定された変更情報（「ぬるめ」か「あつめ」）を受付ける受付部として機能する。つまり、操作パネル１１は、ユーザが加熱変更ボタン１１ａを押下することで、変更情報である「ぬるめ」か「あつめ」の何れかが指定され、指定された変更情報を受付ける。
【００２９】
加熱変更ボタン１１ａを操作した操作信号、すなわち「ぬるめ」か「あつめ」の何れかを示す情報が変更情報として、図８に示す制御装置の制御部２２に送られる。
【００３０】
（制御装置）
図８は、加熱調理器１が備える制御装置の構成を示すブロック図である。制御装置は、加熱調理器１の動作を制御する制御部２２を備えている。制御部２２は、例えばマイクロコンピュータからなり、ＣＰＵ（Central Processing Unit）、ＲＯＭ（Read Only Memory）およびＲＡＭ（Random Access Memory）を有する。
【００３１】
図８に示すように、制御部２２には、操作パネル１１、加熱動作部２３、読取り装置１６、読取り領域照明部２１、読取り結果報知部２４および前扉開閉検知部２５、情報調整部２６およびメモリ（記憶部）３２が接続されている。前扉開閉検知部２５は、例えば前扉１２が閉じられたときにオンするスイッチからなり、前扉１２の開状態および閉状態を検知する。
【００３２】
加熱動作部２３は、加熱庫１３に配置された食品を加熱する動作部であり、例えばマイクロ波出力装置やヒータである。読取り結果報知部２４は、ブザーや音声発生部であり、制御部２２に制御されて、読取り装置１６による情報コードの読み取りの成功または失敗をユーザに報知する。
【００３３】
制御部２２は、例えばインターネット回線を使用してサーバ３１と通信可能である。サーバ３１には、各種食品の種類に応じた加熱情報が登録されている。制御部２２は、読取り装置１６が情報コードを読み取ることによって取得した食品の種類に応じた加熱情報をサーバ３１から取得し、取得した加熱情報に従って食品が加熱されるように、加熱動作部２３を制御する。なお、食品の種類に応じた加熱情報は、加熱調理器１自体が有していてもよい。この場合、加熱調理器１はサーバ３１との通信が不要である。
【００３４】
また、制御部２２は、読取り結果報知部２４の動作を制御し、読取り装置１６による情報コードの読み取りの成功または失敗をユーザに報知させる。
【００３５】
情報調整部２６は、読取り装置１６によって読み取られた情報コードに含まれる加熱調理に必要な加熱情報を、食品それぞれに設定された変更情報に基づいて調整する。加熱情報とは、加熱調理器１における加熱時間、高周波出力のワット数をいう。変更情報は、所望する加熱温度にするためのデフォルトの加熱情報（加熱時間、ワット数）を変更するための情報であり、デフォルトの加熱情報によって加熱された場合の加熱温度に対して、「あつめ」または「ぬるめ」に変更するための情報である。この「あつめ」または「ぬるめ」に変更するための情報は、上述した操作パネル１１に設けられた加熱変更ボタン１１ａの「あつめ」「ぬるめ」のボタンを操作することで設定される。
【００３６】
前記変更情報は、前記情報コードに含まれていてもよいし、メモリ３２に食品毎に対応付けて記憶させていてもよいし、インターネット等のネットワークを介してサーバ３１に記憶させていてもよい。
【００３７】
また、メモリ３２には、読取り装置１６が読み取った情報コードに含まれる加熱情報が記憶される。これにより、情報コードを一度読み取った食品に関しては、加熱情報が加熱調理器１のメモリ３２に登録されるので、加熱情報を加熱調理器１の外部から情報コードを読み取る都度取得する必要がなくなる。従って、情報調整部２６は、読取り装置１６によって読み取られた情報コードによって特定された食品が、メモリ３２に記憶されていれば、当該食品に対応付けられた加熱情報を読み出して、当該加熱情報を、前記変更情報に基づいて調整する。
【００３８】
（加熱調理器１の動作）
上記の構成において、加熱調理器１の動作について以下に説明する。ここでは、容器の上面に情報コードが付与された弁当を加熱調理器１にて加熱する場合について説明する。
【００３９】
まず、ユーザは、操作パネル１１の案内表示２０（例えば、「ドアを開けて赤色の光に情報コードをかざしてください」）を確認する。そして、ユーザは、この案内表示２０に従って、前扉１２を開ける。この前扉１２の開放状態を前扉開閉検知部２５が検知すると、制御部２２は、読取り装置１６および読取り領域照明部２１を動作させる。
【００４０】
次に、ユーザは、操作パネル１１の案内表示２０に従って、読取り装置１６の読取り領域１９に情報コードが入るように（情報コードに赤色の光が当たるように）、弁当を移動させる。
【００４１】
この動作により、読取り装置１６は弁当に付与された情報コードを読み取る。読取り装置１６による情報コードの読み取りが成功すると、制御部２２は、その読取り結果を読取り結果報知部２４にてユーザに報知させる。この場合の読取り結果報知部２４の動作は、例えば「ピー」という連続音を発する動作、「情報コードの読み取りが成功しました」という音声を発する動作、あるいはそれら両方である。
【００４２】
ユーザは、読取り結果報知部２４にて情報コードの読み取りの成功が知らされると、弁当を加熱庫１３の内部へ配置した後、前扉１２を閉じ、操作パネル１１のスタートボタンを押す。
【００４３】
また、ユーザは、「ぬるめ」「あつめ」の何れかを好む場合には、操作パネル１１のスタートボタンを押す前に、操作パネル１１の加熱変更ボタン１１ａの何れかを操作する。
【００４４】
制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１のスタートボタンを押と、取得した加熱情報に従って加熱庫１３内の弁当を加熱する。
【００４５】
また、ユーザは、「ぬるめ」「あつめ」の何れかを好む場合、制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１の加熱変更ボタン１１ａが操作され、スタートボタンが押されると、取得した加熱情報を、食品それぞれに設定された変更情報（ぬるめ、あつめ）に基づいて調整し、調整後の加熱情報に従って加熱庫１３内の弁当を加熱する。
【００４６】
ここでは、「ぬるめ」「あつめ」の設定は、ワット数はそのままにして加熱時間を調整して行う。食品によって「ぬるめ」「あつめ」の設定は異なるが、例えばデフォルトの加熱時間を基準として、「ぬるめ」の場合、０．９倍の加熱時間に変更し、「あつめ」の場合、１．１倍の加熱時間に変更する。従って、この場合の変更情報は、基準の加熱時間に対する倍率情報である。
【００４７】
一方、読取り装置１６による情報コードの読み取りが失敗すると、制御部２２は、その読取り結果を読取り結果報知部２４にてユーザに報知させる。この場合の読取り結果報知部２４の動作は、例えば「ピッ、ピッ、ピッ」という断続音を発する動作、「情報コードの読み取りが失敗しました」という音声を発する動作、あるいはそれら両方である。
【００４８】
ユーザは、読取り結果報知部２４にて情報コードの読み取りの失敗が知らされると、読取り装置１６の読取り領域１９に情報コードが入るように（情報コードに赤色の光が当たるように）、再度、弁当を移動させる。これにより、情報コードの読み取りが成功した場合の動作は、前述のとおりである。
【００４９】
（加熱調理器１の利点）
加熱調理器１では、読取り装置１６は、加熱庫１３の外部、かつ加熱庫１３の前面開口部１３ｂの上方位置を設置位置とし、設置位置よりも下方に読取り領域１９を有するように設けられている。
【００５０】
したがって、ユーザが加熱される食品を加熱庫１３に載置する一連の動作の途中にて、読取り装置１６により情報コードを読み取ることができる。これにより、ユーザは、情報コードを読取り装置１６にて読み取らせるための独立した操作が不要となり、情報コードの読み取り作業が容易となる。
【００５１】
また、読取り装置１６は、加熱庫１３の前面開口部１３ｂの上方位置に設置されているので、検出信号通過面（読取り窓１８の下面）の汚れが生じ難く、かつ加熱庫１３内の温度の影響を受け難くなっている。
【００５２】
また、加熱庫１３の前面開口部１３ｂの上方位置には、操作パネル１１の制御基板を収容するコントロールフレーム１５が突出状に設けられている。読取り装置１６は、コントロールフレーム１５の下面から下方を臨むように設けられている。このように、読取り装置１６は、操作パネル１１の制御基板を収容するコントロールフレーム１５を利用して設置されている。
【００５３】
さらに、操作パネル１１には、ユーザに対する案内表示２０が行われている。これにより、読取り装置１６による情報コードの円滑な読み取りを行うことが可能となる。つまり、加熱調理器１の操作に不慣れなユーザであっても、案内表示２０をみるだけで、当該加熱調理器１の操作の仕方を簡単に把握することができる。
【００５４】
さらに、情報コードに含まれる加熱調理に必要な加熱情報を、食品それぞれに設定された変更情報に基づいて調整することで、各食品のデフォルトの加熱温度よりも高くしたり、低くしたりして当該食品を加熱することが可能となる。これにより、ユーザの好みの温度で食品を加熱することが可能となり、その結果、ユーザにとって使い勝手のよい加熱調理器を提供することができる。
【００５５】
例えば、加熱調理に必要な情報が加熱時間である場合、デフォルトの加熱温度よりも低い、すなわちぬるめが好みであるユーザに対しては、デフォルトで設定された加熱時間よりも短い時間加熱するようにしたり、デフォルトの加熱温度よりも高い、すなわち熱めが好みであるユーザに対しては、デフォルトで設定された加熱時間よりも長い時間加熱したりできる。加熱調理に必要な情報がワット数の場合であれば、デフォルトのワット数に対して、ワット数を大きくしたり、小さくしたりする。さらに、加熱調理に必要な情報が加熱時間とワット数であれば、それぞれの値をデフォルトに対して増減させて、ユーザの好みの温度に調整するようにする。
【００５６】
また、前記変更情報が前記情報コードに含まれていることで、情報コードを読み取るだけで、変更情報を食品毎に別途取得する必要がない。
【００５７】
一方、変更情報をメモリ３２に記憶させた場合には、情報コードに変更情報を含ませる必要がないので、情報コードはこれまでの既存のもので済む。つまり、情報コードに、加熱調理に関する情報を変更するための変更情報を新たに追加する必要がない。
【００５８】
前記実施形態１では、読取り装置１６を加熱庫１３の前面開口部１３ｂのほぼ中央部に設けた例について説明したが、下記の変形例では、読取り装置１６を加熱庫１３の前面開口部１３ｂの幅方向（左右方向）の中央部よりも、横開きの前扉１２の回転中心とは反対側寄りの位置に設けた例について説明する。
【００５９】
〔変形例〕
図９は、前記実施形態１の変形例である加熱調理器２の前扉１２を開放した状態を右斜め下方から見た場合の斜視図である。
【００６０】
（読取り装置１６）
加熱調理器２では、読取り装置１６は、図９に示すように、加熱庫１３の前面開口部１３ｂの幅方向（左右方向）の中央部よりも、横開きの前扉１２の回転中心とは反対側寄りの位置に設けられている。加熱調理器２のその他の構成、ならびに加熱調理器２の動作は、前述した加熱調理器１と同様である。
【００６１】
（加熱調理器２の利点）
加熱調理器２では、読取り装置１６は、加熱庫１３の前面開口部１３ｂの幅方向の中央部よりも、横開きの前扉１２の回転中心とは反対側寄りの位置に設けられている。したがって、前扉１２を例えば半分程度開けて、おにぎり等の小型の食品を前扉１２の回転中心とは反対側寄りの位置から加熱庫１３の内部に入れるような場合であっても、読取り装置１６による情報コードの読み取りの失敗が生じ難くなる。加熱調理器２のその他の利点は、前述した加熱調理器１と同様である。
【００６２】
なお、読取り装置１６は、１個に限定されず、２個設けてもよい。この場合、第１の読取り装置１６は上記の位置に設け、第２の読取り装置１６は、加熱庫１３の前面開口部１３ｂにおける前扉１２の回転中心側の端部に対応する位置と第１の読取り装置１６との間の位置に設けてもよい。
【００６３】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００６４】
本実施形態に係る加熱調理器３は、前記実施形態１の加熱調理器１とほぼ同じ構成である。異なるのは、制御装置が少し異なる点である。従って、本実施形態では、加熱調理器３の概略構成についての説明は省略し、制御装置について説明する。
【００６５】
（制御装置）
図１０は、加熱調理器３が備える制御装置の構成を示すブロック図である。制御装置は、加熱調理器３の動作を制御する制御部２２を備えている。制御部２２は、例えばマイクロコンピュータからなり、ＣＰＵ、ＲＯＭおよびＲＡＭを有する。
【００６６】
図１０に示すように、制御部２２には、操作パネル１１、加熱動作部２３、読取り装置１６、読取り領域照明部２１、読取り結果報知部２４および前扉開閉検知部２５、設定情報変更部２７およびメモリ（記憶部）３２が接続されている。前扉開閉検知部２５は、例えば前扉１２が閉じられたときにオンするスイッチからなり、前扉１２の開状態および閉状態を検知する。
【００６７】
ここで、操作パネル１１、加熱動作部２３、読取り装置１６、読取り領域照明部２１、読取り結果報知部２４および前扉開閉検知部２５は、前記実施形態１と同じであるため、詳細な説明は省略する。
【００６８】
読取り装置１６は、前記実施形態１で説明したように、食品あるいは食品の容器に貼付された情報コードを読み取る以外に、設定情報変更コードを読み取る。設定情報変更コードは、情報コードとは別途作成されたコードであり、設定情報を変更するための設定変更情報を含んでいる。なお、情報コードに、設定情報変更コードを含ませてもよい。
【００６９】
ここで、前記設定情報は、加熱庫１３内に設けられた庫内灯の設定（点灯・非点灯の何れかの設定）、報知音の音量設定、手動加熱の高周波出力値の設定、ロックレベルの設定を示す情報である。ロックレベルの設定は、読取り装置１６により読み取られた情報コードによって設定された加熱情報による加熱調理のみ可能であることを示すか、メモリ３２に記憶された加熱情報による加熱調理のみ可能であることを示すものである。
【００７０】
設定情報変更部２７は、前記設定情報を、読取り装置１６によって読み取られた設定情報変更コードに含まれる設定変更情報に基づいて変更する。つまり、設定情報変更部２７は、設定変更情報に基づいて、加熱調理器３における、報知音の音量設定、手動加熱の高周波出力値の設定、ロックレベルの設定を変更する。
【００７１】
（加熱調理器３の動作）
上記の構成において、加熱調理器３の動作について以下に説明する。ここでは、容器の上面に設定情報変更コードを含む情報コードが付与された弁当を加熱調理器３にて加熱する場合について説明する。
【００７２】
まず、ユーザは、操作パネル１１の案内表示２０（例えば、「ドアを開けて赤色の光に情報コードをかざしてください」）を確認する。そして、ユーザは、この案内表示２０に従って、前扉１２を開ける。この前扉１２の開放状態を前扉開閉検知部２５が検知すると、制御部２２は、読取り装置１６および読取り領域照明部２１を動作させる。
【００７３】
次に、ユーザは、操作パネル１１の案内表示２０に従って、読取り装置１６の読取り領域１９に情報コードが入るように（情報コードに赤色の光が当たるように）、弁当を移動させる。
【００７４】
この動作により、読取り装置１６は弁当に付与された情報コードを読み取る。読取り装置１６による情報コードの読み取りが成功すると、制御部２２は、その読取り結果を読取り結果報知部２４にてユーザに報知させる。この場合の読取り結果報知部２４の動作は、例えば「ピー」という連続音を発する動作、「情報コードの読み取りが成功しました」という音声を発する動作、あるいはそれら両方である。
【００７５】
制御部２２は、情報コードの読取り成功のユーザへの報知を行うと同時に、情報コード内の設定変更情報コードに含まれる設定変更情報に基づき、加熱調理器３の各種設定を変更する。
【００７６】
ユーザは、読取り結果報知部２４にて情報コードの読み取りの成功が知らされると、弁当を加熱庫１３の内部へ配置した後、前扉１２を閉じ、操作パネル１１のスタートボタンを押す。
【００７７】
制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１のスタートボタンを押と、取得した加熱情報に従って加熱庫１３内の弁当を加熱する。
【００７８】
一方、読取り装置１６による情報コードの読み取りが失敗すると、制御部２２は、その読取り結果を読取り結果報知部２４にてユーザに報知させる。この場合の読取り結果報知部２４の動作は、例えば「ピッ、ピッ、ピッ」という断続音を発する動作、「情報コードの読み取りが失敗しました」という音声を発する動作、あるいはそれら両方である。
【００７９】
ユーザは、読取り結果報知部２４にて情報コードの読み取りの失敗が知らされると、読取り装置１６の読取り領域１９に情報コードが入るように（情報コードに赤色の光が当たるように）、再度、弁当を移動させる。これにより、情報コードの読み取りが成功した場合の動作は、前述のとおりである。
【００８０】
（加熱調理器３の利点）
加熱調理器３では、加熱調理を実行する際に使用する際の各種の設定情報、例えば加熱庫１３内灯の設定、報知音の音量設定、手動加熱の高周波出力値の設定、ロックレベルの設定を示す情報を、読取り装置１６によって読み取られた設定情報変更コードに含まれる設定変更情報に基づいて変更することで、各種デフォルト設定を一斉に変更することが可能となる。これにより、ユーザの使い勝手が向上する。
【００８１】
しかも、設定情報変更コードが情報コードに含まれていることで、情報コードを読み取ることにより、設定情報変更コードも読み取ることができる。情報コードは、食品毎に設定されているため、設定情報変更コードも食品毎に設定することが可能となる。よって、ユーザは、食品の情報コードを読み取らせるだけで、当該食品の加熱時の加熱調理器３本体における各種デフォルト設定も食品に合わせて変更することができる。
【００８２】
なお、設定情報変更コードは、必ずしも情報コードに含ませる必要はなく、単独で使用してもよい。この場合、所望する設定情報となるように、複数種類の設定情報変更コードを用意し、必要に応じた設定情報変更コードを読取り装置１６に読み取らせるようにする。
【００８３】
前記実施形態１、２では、情報コードに含まれる加熱情報に関する例について説明したが、以下の実施形態３では、情報コードに含まれる消費期限情報に関する例について説明する。
【００８４】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００８５】
本実施形態に係る加熱調理器は、前記実施形態１と全く同じ構成である。異なるのは、情報コードに含まれる加熱情報ではなく、食品の消費期限情報を用いる点である。消費期限情報は、情報コードに含まれている。
【００８６】
（加熱処理の判定）
情報コードには、食品の消費期限を示す消費期限情報が含まれている。
【００８７】
制御部２２は、読取り装置１６によって読み取った情報コードに含まれる消費期限情報に基づき、当該情報コードが貼付された食品の加熱処理を行うか否かを判定する。具体的には、予め情報コードに登録された消費期限情報を読取り、消費期限を現在日時と比較して、消費期限を過ぎた被加熱物である食品の加熱処理は適切でないと判断し、ユーザに対して、例えば「アラームを鳴らす」および／または「表示部にその旨表示する」などの処理を行う。
【００８８】
情報コードに消費期限情報を含ませる方法としては、例えば、食品を調理した際に、調理した日時情報および／または消費（賞味）期限情報を情報コードに含ませる。
【００８９】
また、情報コードに消費期限情報を含ませず、単独で消費期限情報を管理する場合には、食品を調理した際に、調理した日時情報および／または消費（賞味）期限情報が登録されたバーコードを加熱調理器本体に搭載された印刷機または加熱調理器とは別の外部の印刷機にて印刷する。
【００９０】
ここで、情報コード（バーコード）に登録する情報が、調理した日時情報であれば、当該情報コード読みとった日時から食品毎に設定された消費（賞味）期間を過ぎている場合、ユーザに上述した方法によって報知する。また、情報コード（バーコード）に登録する情報が、消費（賞味）期限情報であれば、当該情報コード読みとった日時から当該消費（賞味）期限が過ぎている場合、ユーザに上述した方法によって報知する。
【００９１】
さらに、情報コード（バーコード）に登録する情報が、調理した日時情報および消費（賞味）期限情報であれば、何れか一方の情報を用いて、消費（賞味）期限が過ぎているか否かを判定し、当該消費（賞味）期限が過ぎていると判定した場合、ユーザに上述した方法によって報知する。
【００９２】
なお、消費期限の判定には、加熱調理器１内に搭載された時計機能を利用してもよいし、外部機器との通信機能を利用して当該外部機器の時計機能を利用してもよい。
【００９３】
〔ソフトウェアによる実現例〕
加熱調理器１〜３の制御ブロック（特に制御部２２）は、集積回路（ＩＣチップ）等に形成された論理回路（ハードウェア）によって実現してもよいし、ソフトウェアによって実現してもよい。
【００９４】
後者の場合、加熱調理器１〜３は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵを用いることができる。上記記録媒体としては、「一時的でない有形の媒体」、例えば、ＲＯＭ等の他、テープ、ディスク、カード、半導体メモリ、プログラマブルな論理回路などを用いることができる。また、上記プログラムを展開するＲＡＭなどをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９５】
〔まとめ〕
本発明の態様１に係る加熱調理器は、加熱庫と、情報コードを読み取る読取り装置とを備えた加熱調理器であって、前記情報コードには、前記加熱調理器本体において加熱調理を実行する際に使用する設定を示す設定情報を変更するための設定変更情報が含まれており、前記読取り装置によって読み取られた前記情報コードに含まれる前記設定変更情報に基づいて前記設定情報を変更する設定情報変更部を有することを特徴としている。
【００９６】
本発明の態様２に係る加熱調理器は、上記態様１において、前記読取り装置は、前記設定変更情報を含む情報コード以外に、食品に付与された情報コードを読み取り、前記読取り装置によって読み取られた前記食品に付与された情報コードに含まれる加熱情報に基づいて前記食品を加熱することを特徴とする。
【００９７】
本発明の態様３に係る加熱調理器は、上記態様１または２において、前記設定変更情報は、加熱調理を実行する際の手動加熱の高周波出力値の設定を示す設定情報を変更する情報であることを特徴とする。
【００９８】
本発明の態様４に係る加熱調理器は、上記態様１または２において、前記設定変更情報は、前記加熱庫内の庫内灯の設定を示す設定情報を変更する情報であることを特徴とする。
【００９９】
本発明の態様５に係る加熱調理器は、上記態様１または２において、前記設定変更情報は、加熱調理を実行する際の報知音の音量設定を示す設定情報を変更する情報であることを特徴とする。
【０１００】
本発明の態様６に係る加熱調理器は、上記態様１または２において、前記設定変更情報は、加熱調理を実行する際のロックレベルの設定を示す設定情報を変更する情報であることを特徴とする。
【０１０１】
＜備考＞
［課題を解決するための手段］
上記の課題を解決するために、本発明の一態様に係る加熱調理器は、加熱庫と、前記加熱庫を開閉する前扉と、少なくとも食品の種類を示す情報コードを読み取る読取り装置とを備え、前記加熱庫の内部に配置された食品を加熱する加熱調理器において、前記読取り装置によって読み取られた情報コードに含まれる加熱調理に必要な加熱情報を、食品それぞれに設定された変更情報に基づいて調整する情報調整部を備えていることを特徴としている。
【０１０２】
［発明の効果］
本発明の一態様によれば、ユーザの好みの温度で加熱することを可能にし、ユーザにとって使い勝手のよい加熱調理器の提供できる。
【０１０３】
〔まとめ〕
本発明の態様１に係る加熱調理器は、加熱庫１３と、前記加熱庫１３を開閉する前扉１２と、少なくとも食品の種類を示す情報コードを読み取る読取り装置１６とを備え、前記加熱庫１３の内部に配置された食品を加熱する加熱調理器において、前記読取り装置１６によって読み取られた情報コードに含まれる加熱調理に必要な加熱情報を、食品それぞれに設定された変更情報に基づいて調整する情報調整部２６を備えていることを特徴としている。
【０１０４】
上記構成によれば、情報コードに含まれる加熱調理に必要な加熱情報を、食品それぞれに設定された変更情報に基づいて調整することで、各食品のデフォルトの加熱温度に対して高くなるように、または低くなるように当該食品を加熱することが可能となる。これにより、ユーザの好みの温度で食品を加熱することが可能となり、その結果、ユーザにとって使い勝手のよい加熱調理器を提供することができる。
【０１０５】
例えば、加熱調理器が電子レンジの場合であれば、加熱温度は、高周波出力のワット数と、加熱時間とで決まる。従って、加熱調理に必要な加熱情報は、高周波出力のワット数と加熱時間とを含む。ここで、変更対象となる加熱情報が加熱時間である場合、デフォルトの加熱温度よりも低い、すなわち「ぬるめ」が好みであるユーザに対しては、設定された加熱時間よりも短い時間に変更し、デフォルトの加熱温度よりも高い、すなわち「あつめ」が好みであるユーザに対しては、設定された加熱時間よりも長い時間に変更する。また、変更対象となる加熱情報が高周波出力のワット数である場合、ワット数を大きくしたり、小さくしたりする。さらに、変更対象の情報が加熱時間とワット数であれば、それぞれの値を増減させて、ユーザの好みの温度に調整するようにする。
【０１０６】
本発明の態様２に係る加熱調理器は、上記態様１において、前記変更情報は、前記情報コードに含まれていてもよい。
【０１０７】
上記の構成によれば、変更情報が情報コードに含まれていることで、情報コードを読み取るだけで、変更情報を別途取得する必要がない。
【０１０８】
本発明の態様３に係る加熱調理器は、上記態様１において、前記変更情報を食品毎に対応付けて記憶する記憶部（メモリ３２）をさらに備え、前記情報調整部２６は、前記加熱情報を、前記記憶部（メモリ３２）から読み取った変更情報に基づいて調整してもよい。
【０１０９】
上記構成によれば、変更情報を加熱調理器自体が持っているため、情報コードはこれまでの既存のもので済む。
【０１１０】
本発明の態様４に係る加熱調理器は、上記態様１〜３の何れか１態様において、ユーザによって指定された前記変更情報を受付ける受付部（操作パネル１１）をさらに備え、前記情報調整部２６は、前記加熱情報を、前記受付部（操作パネル１１）によって受付けた前記変更情報に基づいて調整してもよい。
【０１１１】
上記構成によれば、加熱情報を、ユーザによって指定された変更情報に基づいて調整することができるので、ユーザの好みに応じた温度で加熱することが可能となる。
【０１１２】
本発明の態様５に係る加熱調理器は、上記態様１〜４の何れか１態様において、前記読取り装置１６は、前記情報コードの他に、前記加熱調理器本体において加熱調理を実行する際に使用する際の各種の設定情報を変更するための設定情報変更コードを読み取り、
前記設定情報を、前記読取り装置１６によって読み取られた前記設定情報変更コードに含まれる設定変更情報に基づいて変更する設定情報変更部２７をさらに備えていてもよい。
【０１１３】
上記構成によれば、加熱調理器本体の加熱調理を実行する際に使用する操作仕様に関する設定情報、例えば庫内灯の設定、報知音の音量設定、手動加熱の高周波出力値（ワット数）の設定、ロックレベルの設定を示す情報を、読取り装置によって読み取られた設定情報変更コードに含まれる設定変更情報に基づいて変更することで、各種デフォルト設定を一斉に変更することが可能となる。これにより、ユーザの使い勝手が向上する。
【０１１４】
本発明の態様６に係る加熱調理器は、上記態様５において、前記設定情報変更コードは、前記情報コードに含まれていてもよい。
【０１１５】
上記構成によれば、設定情報変更コードが前記情報コードに含まれていることで、情報コードを読み取ることにより、設定情報変更コードも読み取ることができる。しかも、情報コードは、食品毎に設定されているため、設定情報変更コードも食品毎に設定することが可能となる。よって、ユーザは、食品の情報コードを読み取らせるだけで、当該食品の加熱時の加熱調理器本体における各種デフォルト設定も食品に合わせて変更することができる。
【０１１６】
本発明の態様７に係る加熱調理器は、上記態様１〜６の何れか１態様において、前記読取り装置１６によって読み取られた情報コードに含まれる加熱調理に必要な加熱情報を食品に対応付けて記憶する記憶部（メモリ３２）をさらに備え、前記情報調整部２６は、前記読取り装置１６によって読み取られた情報コードによって特定された食品が、前記記憶部（メモリ３２）に記憶されていれば、当該食品に対応付けられた加熱情報を読み出して、当該加熱情報を、前記変更情報に基づいて調整してもよい。
【０１１７】
上記構成によれば、一度読み取った情報コードに含まれる加熱情報が食品と対応付けて記憶部に記憶されていることで、同じ食品であれば、記憶部に記憶された加熱情報を調整することができるので、加熱頻度の高い食品を効率よく、且つユーザの好みの温度で加熱することができる。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１９】
１〜３  加熱調理器
１１  操作パネル（受付部）
１１ａ  加熱変更ボタン
１２  前扉
１３  加熱庫
１３ｂ  前面開口部
１４  取手
１５  コントロールフレーム
１６  読取り装置
１７  読取り装置基板
１９  読取り領域
２０  案内表示
２１  読取り領域照明部
２２  制御部
２３  加熱動作部
２４  読取り結果報知部
２５  前扉開閉検知部
２６  情報調整部
２７  設定情報変更部
３１  サーバ
３２  メモリ（記憶部）
【図１】
2020204465.tif 000003
【図２】
2020204465.tif 000004
【図３】
2020204465.tif 000005
【図４】
2020204465.tif 000006
【図５】
2020204465.tif 000007
【図６】
2020204465.tif 000008
【図７】
2020204465.tif 000009
【図８】
2020204465.tif 000010
【図９】
2020204465.tif 000011
【図１０】
2020204465.tif 000012